(57)【要約】【課題】Ｍ型アンテナを基本構造とし、小型で水平面指向性が無指向性であり、さらに送受信し得る複数の周波数帯を任意に設定できる平面型アンテナを提供する。【解決手段】接地板１０から離して平行に、導電線で平面形状が正方形で対向する４隅を結んだ形状の第１の放射電極部３０を設け、その中央部に給電ピン１４を電気的接続し、給電ピン１４を中心として対称の位置で正方形の２辺を第１のショートピン３２で接地板１０に電気的に短絡する。給電ピン１４と第１のショートピン３２の間を直線で結ばないようにして空間部３０ａを設ける。また、第１のショートピン３２が設けられない辺と給電ピン１４の間を直線で結ばないようにして空間部３０ｂを設ける。空間部３０ｂに第２の放射電極部３４を設け、その中央部を給電ピン１４に電気的接続し、その両端部を第２のショートピン３６で接地板１０に電気的に短絡する。【選択図】  図１
2007336296.tif 000002
【特許請求の範囲】
【請求項１】
接地板から離してしかも平行な平面内に導電線で第１の放射電極部を設け、前記第１の放射電極部の平面外形の中央部に給電ピンを電気的接続し、前記給電ピンの配設位置を中心として対称の位置で前記第１の放射電極部の平面外形の外縁部を前記接地板に電気的に短絡するように一対の第１のショートピンを設け、少なくとも前記給電ピンの配設位置と前記第１のショートピンの配設位置の間を直線的に結ぶ前記導電線を設けることなしに空間部を形成し、前記第１の放射電極部と略同じ平面内に導電線で第２の放射電極部を設け、前記第２の放射電極部の中央部に前記給電ピンを電気的接続し、前記第２の放射電極部の両端部を前記接地板に電気的に短絡するように一対の第２のショートピンを設けて構成したことを特徴とする平面型アンテナ。
【請求項２】
接地板から離してしかも平行に平板状の第１の放射電極部を設け、前記第１の放射電極部の平面外形の中央部に給電ピンを電気的接続し、前記給電ピンの配設位置を中心として対称の位置で前記第１の放射電極部の平面外形の外縁部を前記接地板に電気的に短絡するように一対の第１のショートピンを設け、少なくとも前記給電ピンの配設位置と前記第１のショートピンの配設位置の間を結ぶ直線を遮るように前記第１の放射電極部に空間部を形成し、前記第１の放射電極部と略同じ平面内に平板状の第２の放射電極部を設け、前記第２の放射電極部の中央部に前記給電ピンを電気的接続し、前記第２の放射電極部の両端部を前記接地板に電気的に短絡するように一対の第２のショートピンを設けて構成したことを特徴とする平面型アンテナ。
【請求項３】
請求項１または２記載の平面型アンテナにおいて、前記第１の放射電極部の平面外形を正方形とし、前記第１の放射電極部に前記正方形の辺に下辺を平行として頂点を前記平面形状の中央部に向けた三角形の空間部を前記正方形の各辺にそれぞれ形成し、前記第１のショートピンが設けられていない辺の前記空間部に前記第２の放射電極部を配設して構成したことを特徴とする平面型アンテナ。
【請求項４】
請求項１または２記載の平面型アンテナにおいて、前記第１の放射電極部の平面外形を円形とし、前記第１の放射電極部に前記円形の辺に円弧を沿わせて頂点を前記平面形状の中央部に向けた扇形の４つの空間部を均等分割位置に形成し、前記第１のショートピンが設けられていない辺の前記空間部に前記第２の放射電極部を配設して構成したことを特徴とする平面型アンテナ。
【請求項５】
請求項１または２記載の平面型アンテナにおいて、前記第１の放射電極部の前記空間部に別のアンテナを配設して構成したことを特徴とする平面型アンテナ。
【発明の詳細な説明】
【技術分野】
【０００１】
本発明は、小型かつ低背であって、複数の周波数帯を送受信でき、また水平面無指向性を備え、しかも設置スペースを大きくすることなしに別のアンテナを配設することのできる平面型アンテナに関するものである。
【背景技術】
【０００２】
従来の低背の平面型アンテナとして、平板状の放射電極部を有するＭ型アンテナが知られている。このＭ型アンテナを応用した技術が特開平０５−１３６６２５号公報に示されている。
【特許文献１】特開平０５−１３６６２５号公報
【０００３】
この特許文献１記載のＭ型アンテナの一例を図１０および図１１を参照して簡単に説明する。図１０は、特許文献１記載のＭ型アンテナの構造の外観斜視図である。図１１は、図１０の構造のＭ型アンテナのＶＳＷＲ特性図である。図１０に示す構造は、接地板１０から離してしかも平行に平板状の導電板からなり平面外形が正方形の放射電極部１２が配設され、その平面形状の略中央部に給電ピン１４が接地板１０側から立ち上げられて電気的接続される。そして、この給電ピン１４が配設された位置を中心として略対称な位置で、放射電極部１２の正方形の平面外形の対向する２辺の略外縁部の中央の位置を接地板１０に電気的に短絡させるように一対のショートピン１６、１６が設けられる。なお、給電ピン１４は、接地板１０に電気的接続されないことは勿論である。かかる構造のＭ型アンテナのＶＳＷＲ特性は、図１１に示すごときものであり、一例として約９００ＭＨｚを中心とする１つの周波数帯で送受信ができる。
【０００４】
また、２つの周波数帯を送受信できるアンテナとして、導電線からなる２つのＭ型アンテナを組み合わせた技術が特開２００４−３５９５１５号公報に示されている。
【特許文献２】特開２００４−３５９５１５号公報
【０００５】
この特許文献２記載のＭ型アンテナを図１２ないし図１４を参照して簡単に説明する。図１２は、特許文献２記載のＭ型アンテナの構造の外観斜視図である。図１３は、図１２の構造のＭ型アンテナの第１の放射電極部の水平面指向特性図である。図１４は、図１２の構造のＭ型アンテナの第２の放射電極部の水平面指向特性図である。図１２に示す構造は、接地板１０から離してしかも平行に棒状の導電線からなる第１の放射電極部１８が配設され、その略中央部に給電ピン１４が接地板１０側から立ち上げられて電気的接続される。そして、第１の放射電極部１８の両端部を接地板１０に電気的に短絡させるように一対の第１のショートピン２０、２０が設けられる。また、給電ピン１４の中間部位置で接地板１０と第１の放射電極部１８と平行に棒状の導電線からなる第２の放射電極部２２が配設され、その略中央部に給電ピン１４が電気的接続される。そして、第２の放射電極部２２の両端部を接地板１０に電気的に短絡させるように一対の第２のショートピン２４、２４が設けられる。かかる構造のＭ型アンテナの水平面指向特性は、図１３および図１４に示すごときものであり、第１と第２の放射電極部１８、２２ともに、水平面指向性が無指向性とは言い難い。
【０００６】
そして、特許出願人は、特許文献１記載のアンテナをより小型化した技術を、特願２００６−０１３６８４により先に提案した。この先に提案した技術は、図１０に示す特許文献１記載のアンテナの放射電極部１２に、給電ピン１４と一対のショートピン１６、１６の間に空間部を設けて、給電ピン１４から一対のショートピン１６、１６を経て接地板１０に到る経路の長さがより長くなるようにして、放射電極部１２の外形寸法を小さくし得るようにしたものである。
【特許文献３】特願２００６−０１３６８４
【発明の開示】
【発明が解決しようとする課題】
【０００７】
ところで、最近の電子機器は様々なメディアやサービスに対応する機能を有し、そのために複数の周波数帯を送受信できるアンテナを必要とする。そして、一般的にアンテナの取付スペースは限られている。上記特許文献１記載のＭ型アンテナでは１つの周波数帯でしか送受信できないために、複数の周波数帯を送受信するためには、さらに別のアンテナを追加搭載しなければならない。かかる場合には、追加する別のアンテナは放射電極部１２の横または上に設けざるを得ず、その分だけ広い設置のスペースを必要とし、または背が高いものとなる。したがって、特許文献１記載のＭ型アンテナを用いて、複数の周波数帯を送受信するためのアンテナを構成する場合には、その設置スペースが大きくまたは高いものとなるという不具合がある。
【０００８】
また、最近の様々なメディアやサービスに対応する機能を有する電子機器は、移動体に搭載されることが多く、アンテナの水平面指向特性が無指向性であることが望まれる。上記特許文献２記載のＭ型アンテナにあっては、２つの周波数帯を送受信できるので、複数の周波数帯の送受信のアンテナとして接地スペースが小さくて足りる。しかし、水平面指向特性が無指向性でないという不具合がある。
【０００９】
さらに、特許出願人が先に提案した技術にあっては、放射電極部１２の形状によっては２つの周波数帯で送受信し得る場合がアンテナ特性の測定等から確認されているが、一方の低い周波数帯を固定した状態で他方の高い周波数帯のみを任意にずらして設定することは困難である。
【００１０】
本発明は、上述したごとき従来技術の事情に鑑みてなされたもので、Ｍ型アンテナを基本構造として用いて、接地板から第１の放射電極部を離す高さを大きくすることなしに、また第１の放射電極部の平面形状を大きくすることなしに小型化でき、しかも水平面指向性が無指向性であり、さらに動作し得る複数の周波数帯を任意にずらして設定することのできるようにした平面型アンテナを提供することを目的とする。また、第１の放射電極部の空間部に別のアンテナを組み込むことで、設置スペースを大きくすることなしに別のアンテナを配設することのできる平面型アンテナを提供することを目的とする。
【課題を解決するための手段】
【００１１】
かかる目的を達成するために、本発明の平面型アンテナは、接地板から離してしかも平行な平面内に導電線で第１の放射電極部を設け、前記第１の放射電極部の平面外形の中央部に給電ピンを電気的接続し、前記給電ピンの配設位置を中心として対称の位置で前記第１の放射電極部の平面外形の外縁部を前記接地板に電気的に短絡するように一対の第１のショートピンを設け、少なくとも前記給電ピンの配設位置と前記第１のショートピンの配設位置の間を直線的に結ぶ前記導電線を設けることなしに空間部を形成し、前記第１の放射電極部と略同じ平面内に導電線で第２の放射電極部を設け、前記第２の放射電極部の中央部に前記給電ピンを電気的接続し、前記第２の放射電極部の両端部を前記接地板に電気的に短絡するように一対の第２のショートピンを設けて構成されている。
【００１２】
また、接地板から離してしかも平行に平板状の第１の放射電極部を設け、前記第１の放射電極部の平面外形の中央部に給電ピンを電気的接続し、前記給電ピンの配設位置を中心として対称の位置で前記第１の放射電極部の平面外形の外縁部を前記接地板に電気的に短絡するように一対の第１のショートピンを設け、少なくとも前記給電ピンの配設位置と前記第１のショートピンの配設位置の間を結ぶ直線を遮るように前記第１の放射電極部に空間部を形成し、前記第１の放射電極部と略同じ平面内に平板状の第２の放射電極部を設け、前記第２の放射電極部の中央部に前記給電ピンを電気的接続し、前記第２の放射電極部の両端部を前記接地板に電気的に短絡するように一対の第２のショートピンを設けて構成しても良い。
【００１３】
そして、前記第１の放射電極部の平面外形を正方形とし、前記第１の放射電極部に前記正方形の辺に下辺を平行として頂点を前記平面形状の中央部に向けた三角形の空間部を前記正方形の各辺にそれぞれ形成し、前記第１のショートピンが設けられていない辺の前記空間部に前記第２の放射電極部を配設して構成することもできる。
【００１４】
そしてまた、前記第１の放射電極部の平面外形を円形とし、前記第１の放射電極部に前記円形の辺に円弧を沿わせて頂点を前記平面形状の中央部に向けた扇形の４つの空間部を均等分割位置に形成し、前記第１のショートピンが設けられていない辺の前記空間部に前記第２の放射電極部を配設して構成することもできる。
【００１５】
そしてさらに、前記第１の放射電極部の前記空間部に別のアンテナを配設して構成することもできる。
【発明の効果】
【００１６】
請求項１記載の平面型アンテナにあっては、少なくとも給電ピンの配設位置とショートピンの配設位置の間を直線的に結ぶ導電線が設けられることなしに空間部が形成されて導電線で第１の放射電極部が設けられているので、給電ピンとショートピンの間の電流経路が直線的に結ぶ距離よりも長くなり、接地板から第１の放射電極部を離す高さを大きくすることなしに、また第１の放射電極部の平面形状を大きくすることなしに共振周波数を低くすることができる。また、導電線が設けられていない空間部に第２の放射電極部を設けているので、外形寸法を変えることなしに、第１と第２の放射電極部でそれぞれに異なる周波数帯を送受信することで、２つの周波数帯を送受できるアンテナを構成できる。もって、２つの周波数帯を送受信できる小型で低背なアンテナとして好適である。
【００１７】
また、請求項２記載の平面型アンテナにあっては、第１の放射電極部に、少なくとも給電ピンの配設位置とショートピンの配設位置の間を結ぶ直線を遮るように空間部を形成したので、請求項１と同様に、給電ピンとショートピンの間の電流経路が直線で結ぶ距離よりも長くなり、接地板から第１の放射電極部を離す高さを大きくすることなしに、また第１の放射電極部の平面形状を大きくすることなしに共振周波数を低くすることができる。また、空間部に第２の放射電極部を設けているので、外形寸法を変えることなしに、第１と第２の放射電極部でそれぞれに異なる周波数帯を送受信することで、２つの周波数帯を送受できるアンテナを構成できる。もって、小型で低背なアンテナとして好適である。
【００１８】
そして、請求項３および４記載の平面型アンテナのいずれにあっても、第１の放射電極部に設けた空間部が、給電ピンを配設した中央部を中心としてほぼ点対称であり、ほぼ水平面無指向性が得られる。しかも、第１の放射電極部の第１のショートピンが設けらていない辺の空間部に、第２の放射電極部を設けたので、第２の放射電極部が第１の放射電極部に生ずる電流電圧分布に与える影響が少ない。
【００１９】
そしてさらに、請求項５記載の平面型アンテナは、第１の放射電極部の空間部に別のアンテナを配設するので、スペースを有効に利用することができ、別のアンテナを組み込んでも設置スペースが大きくなるようなことがなく、また背も高くなることはない。
【発明を実施するための最良の形態】
【００２０】
以下、本発明の第１実施例を図１ないし図６を参照して説明する。図１は、本発明の平面型アンテナの第１実施例の外観斜視図である。図２は、図１の第１実施例のＶＳＷＲ特性図である。図３は、図１の第１実施例で８１０ＭＨｚの水平指向特性図である。図４は、図１の第１実施例で９６０ＭＨｚの水平指向特性図である。図５は、図１の第１実施例で１９２０ＭＨｚの水平指向特性図である。図６は、図１の第１実施例で２１７０ＭＨｚの水平指向特性図である。図１において、図１０および図１２と同じまたは均等な部材には同じ符号を付けて重複する説明を省略する。
【００２１】
図１に示す本発明の平面型アンテナの第１実施例において、接地板１０から離してしかも平行な平面内で、導電線により平面外形が正方形の枠部に対向する隅を互いに結んで中央部で交叉する第１の放射電極部３０が配設される。そして、給電ピン１４が、第１の放射電極部３０の正方形の対向する隅を互いに結んで中央部で交叉する点に、接地板１０側から立ち上げられて電気的接続される。また、給電ピン１４を中心とする対象な位置で、枠部の正方形の対向する２辺の略中央部に、第１の放射電極部３０の枠部と接地板１０を電気的に短絡させる一対の第１のショ−トピン３２、３２が配設される。この第１の放射電極部３０にあっては、給電ピン１４と第１のショートピン３２、３２の間を直線的に結ぶ導電線が設けられておらず、三角形の空間部３０ａ、３０ａが形成されている。また、第１のショートピン３２、３２が設けられていない正方形の枠部の辺と給電ピン１４を直線的に結ぶ導電線も設けられておらず、三角形の空間部３０ｂ、３０ｂが同様に形成されている。さらに、第１の放射電極部３０が配設された同じ平面内で、第１の放射電極部３０で第１のショートピン３２、３２が設けられていない正方形の枠部の辺と給電ピン１４を直線的に結ぶ導電線が設けられずに形成された三角形の空間部３０ｂ、３０ｂに、導電線により平面形状がコ字状の第２の放射電極部３４が配設され、その両端部と接地板１０を電気的に短絡させる一対の第２のショートピン３６、３６が配設される、また、第２の放射電極部３４の中央部に給電ピン１４が電気的接続される。なお、第２の放射電極部３４のコ字状は、一例として第１の放射電極部３０の正方形の枠部に平行となるように配設される。また、給電ピン１４が、接地板１０に電気的接続されていないことは勿論である。
【００２２】
この第１の放射電極部３０の正方形の一辺の寸法を８４ｍｍとし、接地板１０から離れた高さを１６．５ｍｍとし、第２の放射電極部３４のコ字状の長さを適宜に調整設定した本発明の平面型アンテナにあっては、図２に示すごとく、２つの周波数帯で動作し得る。第１の放射電極部３０は、第１の周波数帯としての携帯電話用のＰＤＣ８００に設定されており、第２の放射電極部３４は、第２の周波数帯としてのＩＴＭ−２０００の２ＧＨｚ帯に設定されている。ここで、第２の放射電極部３４の長さは、給電ピン１４と第２のショートピン３６が接続される間の長さと給電ピン１４と第２のショートピン３６のそれぞれの長さの総和が、第２の周波数帯の中心周波数の１／２波長となるように設定されれば良い。図２に示すＶＳＷＲ特性において、第１の周波数帯としてのＰＤＣ８００の８１０ＭＨｚではＶＳＷＲが３．７５で仰角θ＝０°で利得が−２．８５ｄＢｉであり、９６０ＭＨｚではＶＳＷＲが３．１６で利得が０．０１ｄＢｉであり、また第２の周波数帯としてのＩＭＴ−２０００の１９２０ＭＨｚではＶＳＷＲが１．４０で利得が０．５２ｄＢｉであり、２１７０ＭＨｚではＶＳＷＲが２．０６で利得が−１．９６ｄＢｉであった。しかも、図３、図４に示すごとく、ＰＤＣ８００で８１０ＭＨｚと９６０ＭＨｚのいずれであっても、ほぼ水平面無指向性が得られている。また、図５、図６に示すごとく、ＩＭＴ−２０００で１９２０ＭＨｚと２１７０ＭＨｚのいずれであっても、ほぼ水平面無指向が得られている。
【００２３】
しかも、第１のショートピン３２、３２が設けられていない空間部３０ｂ、３０ｂに、第２の放射電極部３４を設けているので、この第２の放射電極部３４を介して第１の放射電極部３０に接続される給電ピン１４と第１のショートピン３２、３２の間に電磁結合または容量結合等を生ずる虞がなく、第２の放射電極部３４を設けることで第１の放射電極部３０の電流電圧分布に対する影響が少なく、アンテナ特性に大きく影響を及ぼすことがない。
【００２４】
次に、本発明の第２実施例を図７を参照して説明する。図７は、本発明の平面型アンテナの第２実施例の外観斜視図である。図７において、図１と同じまたは均等な部材には同じ符号を付けて重複する説明を省略する。
【００２５】
図７に示す本発明の平面型アンテナの第２実施例において、図１に示す第１実施例と相違するところは、導電線に代えて、平板状の導電板をプレス加工等により、平面形状が第１実施例と略同じとなるように、第１と第２の放射電極部３０、３４と一対の第１と第２のショ−トピン３２、３２、３６、３６および給電ピン１４が帯状に形成され、さらに適宜に折り曲げられて構成されている。第１と第２の放射電極部３０、３４は、接地板１０から離して平行に配設されることは第１実施例と同様である。かかる構成の第２の実施例の平面型アンテナにあっても、第１実施例の平面型アンテナと同様のアンテナ特性が得られる。しかも、第１実施例の導電線に比べて、第１と第２の放射電極部３０、３４の帯状の幅が広いために、送受信帯域が広くなる。
【００２６】
なお、第２実施例にあっては、第１と第２の放射電極部３０、３４等が導電板で形成されているが、第１と第２の放射電極部３０、３４が設けられる高さに、絶縁樹脂板等を設け、その表面に導電薄膜等で第１と第２の放射電極部３０、３４を形成し、これらの導電薄膜等からなる第１と第２の放射電極部３０、３４に第１と第２のショートピン３２、３２、３６、３６および給電ピン１４を電気的接続するように構成しても良い。
【００２７】
さらに、本発明の第３実施例を図８を参照して説明する。図８は、本発明の平面型アンテナの第３実施例の外観斜視図である。図８において、図１と同じまたは均等な部材には同じ符号を付けて重複する説明を省略する。
【００２８】
図８に示す本発明の平面型アンテナの第３実施例において、図１に示す第１実施例と相違するところは、導電線で形成される第１の放射電極４０の平面形状が円形であるとともに、第２の放射電極部４４が直線状に形成されていることにある。かかる構成の第３の実施例の平面型アンテナにあっても、第１実施例の平面型アンテナと同様のアンテナ特性が得られる。
【００２９】
そしてまた、本発明の第４実施例を図９を参照して説明する。図９は、本発明の平面型アンテナの第４実施例の外観斜視図である。図９において、図１と同じまたは均等な部材には同じ符号を付けて重複する説明を省略する。
【００３０】
図９に示す本発明の平面型アンテナの第４実施例にあっては、第２の放射電極部３４、３４が設けられていない空間部３０ａ、３０ａに、ＧＰＳ受信用の別のアンテナ５０や衛星デジタルラジオ放送受信用の別のアンテナ５２等が配設されている。かかる構成にあっては、スペースを有効に利用でき、別のアンテナ５０、５２を配設するにも係わらず、接地スペースが大きくなるようなことがない。これらの別のアンテナ５０、５２としては、ＥＴＣを含むＤＳＲＣや無線ＬＡＮおよびＢｌｕｅｔｏｏｔｈ等のアンテナであっても良いことは、勿論である。
【００３１】
なお、第１の放射電極部３０、４０の平面形状は、上記実施例の形状に限られない。例えば、第１実施例のごとく平面形状を「正方形に対向する４隅を結ぶ十文字」状で、その十文字状の部分を折り曲げてその長さを長くしても良く、また十文字状の部分の一部分を折り曲げてその長さを長くし他の部分は折り曲げることなしに構成しても良く、また十文字状の部分を、４方向に放射状の中央部付近を１本の直線にまとめ、このまとめられた１本の直線の両端部がそれぞれ２つに分岐されて正方形の４隅にそれぞれに連結されたごとき形状に代えて構成しても良く、また十文字状の部分をＨ字状に代えて構成しても良く、十文字状の部分をミアンダ状に折り曲げてその長さを長くしても良い。また、平面形状を基本的には「正方形に対向する４隅を結ぶ十文字」状であるが、第１のショートピンが配設されていな辺部を省いた構造としても良い。そして、平面形状を「田」の字状とし、中央部に給電ピン１４を電気的接続し、「田」の字状の外縁の対向する２隅に一対のショートピン１６、１６が配設されても良い。さらに、平面形状を基本的には「丸に十の字」状であるが、第１のショートピンが配設されていない円弧状の縁部を省いた構造としても良い。また、平面形状を２つの同形の円をその一部が接するようにまたは重なるように配置して構成し、２つの円が接する部分に給電ピン１４を配設し、この給電ピン１４の配設位置を通過する直径方向で円の他方の位置に第１のショートピンをそれぞれに配設して構成しても良い。そしてまた、平面形状を「日」の字状に形成し、中央辺の中間位置に給電ピンを配設し、上下辺の中間位置に第１のショートピンをそれぞれに配設して構成しても良い。また、平面形状が菱形の外縁形状と対向する２隅を結ぶ１本の中央辺とで形成され、中央辺の中間位置に給電ピンを配設し、菱形の中央辺が結ばれていない対向する２隅に第１のショートピンが配設されて構成されても良い。
【００３２】
さらに、第２の放射電極部３４、４４は、上記実施例のごとく「コ字状」や「直線状」に限られず、適宜に折り曲げられた平面形状が「く字状」や「円弧状」等であっても良い。また、第２の放射電極部３４、４４は、上記実施例のごとく第１のショートピン３２、３２が設けられていない空間部３０ｂ、３０ｂに設けられたものに限られず、第１のショートピン３２、３２が設けられている他の空間部３０ｂ、３０ｂに配設されても良い。しかし、第２の放射電極部３４、４４が第１のショートピン３２、３２が設けられていない空間部３０ｂ、３０ｂに設けられたものに比較して、第１のショートピン３２、３２が設けられている空間部３０ｂ、３０ｂに配設されたものは、第１のショートピン３２、３２と第２のショートピン３６、３６が近接して配設されるために、電磁結合を生じさせ易く、水平面の指向性がやや悪化する傾向にある。
【図面の簡単な説明】
【００３３】
【図１】本発明の平面型アンテナの第１実施例の外観斜視図である。
【図２】図１の第１実施例のＶＳＷＲ特性図である。
【図３】図１の第１実施例で８１０ＭＨｚの水平指向特性図である。
【図４】図１の第１実施例で９６０ＭＨｚの水平指向特性図である。
【図５】図１の第１実施例で１９２０ＭＨｚの水平指向特性図である。
【図６】図１の第１実施例で２１７０ＭＨｚの水平指向特性図である。
【図７】本発明の平面型アンテナの第２実施例の外観斜視図である。
【図８】本発明の平面型アンテナの第３実施例の外観斜視図である。
【図９】本発明の平面型アンテナの第４実施例の外観斜視図である。
【図１０】特許文献１記載のＭ型アンテナの構造の外観斜視図である。
【図１１】図１０の構造のＭ型アンテナのＶＳＷＲ特性図である。
【図１２】特許文献２記載のＭ型アンテナの構造の外観斜視図である。
【図１３】図１２の構造のＭ型アンテナの第１の放射電極部の水平面指向特性図である。
【図１４】図１２の構造のＭ型アンテナの第２の放射電極部の水平面指向特性図である。
【符号の説明】
【００３４】
１０  接地板
１２  放射電極部
１４  給電ピン
１６  ショートピン
１８、３０、４０  第１の放射電極部
２０、３２  第１のショートピン
２２、３４、４４  第２の放射電極部
２４、３６  第２のショートピン
３０ａ、３０ｂ  空間部
５０、５２  別のアンテナ
【図１】
2007336296.tif 000003
【図２】
2007336296.tif 000004
【図３】
2007336296.tif 000005
【図４】
2007336296.tif 000006
【図５】
2007336296.tif 000007
【図６】
2007336296.tif 000008
【図７】
2007336296.tif 000009
【図８】
2007336296.tif 000010
【図９】
2007336296.tif 000011
【図１０】
2007336296.tif 000012
【図１１】
2007336296.tif 000013
【図１２】
2007336296.tif 000014
【図１３】
2007336296.tif 000015
【図１４】
2007336296.tif 000016